(57)【要約】【課題】  動作の信頼性の向上及び小型化を図る。【解決手段】  光学素子を保持し光学素子の光軸方向へ移動される素子保持枠と、通電されることにより素子保持枠を光軸方向へ移動させる駆動部と、駆動部の少なくとも一部を保持する駆動側保持部と、通電されることにより光学素子の光軸方向における位置を検出する位置検出部と、位置検出部の少なくとも一部を保持する検出側保持部と、一部が駆動側保持部と検出側保持部の間に配置された中間部として設けられ駆動部と位置検出部にそれぞれ接続されたフレキシブルプリント配線板とを備え、中間部が素子保持枠の外周より外側に位置され光軸方向において折り返され、中間部の折り返し位置が素子保持枠の移動に伴って光軸方向において変化されるようにした。【選択図】        図６
2013250487.tif 000002
【特許請求の範囲】
【請求項１】
光学素子を保持し前記光学素子の光軸方向へ移動される素子保持枠と、
通電されることにより前記素子保持枠を前記光軸方向へ移動させる駆動部と、
前記駆動部の少なくとも一部を保持する駆動側保持部と、
通電されることにより前記光学素子の前記光軸方向における位置を検出する位置検出部と、
前記位置検出部の少なくとも一部を保持する検出側保持部と、
一部が前記駆動側保持部と前記検出側保持部の間に配置された中間部として設けられ前記駆動部と前記位置検出部にそれぞれ接続されたフレキシブルプリント配線板とを備え、
前記中間部が前記素子保持枠の外周より外側に位置され前記光軸方向において折り返され、
前記中間部の折り返し位置が前記素子保持枠の移動に伴って光軸方向において変化されるようにした
レンズ鏡筒。
【請求項２】
前記中間部が被取付部と前記被取付部に連続し前記光軸方向において折り返された折り返し部とを有し、
前記駆動側保持部と前記検出側保持部の間に前記光軸方向に延び前記被取付部が取り付けられる取付部が設けられ、
前記取付部の長手方向における一端面に前記素子保持枠が移動されたときに前記被取付部の前記取付部に対する移動を規制する移動規制部が設けられ、
前記被取付部が前記一端面を跨いで屈曲された状態で前記取付部に取り付けられた
請求項１に記載のレンズ鏡筒。
【請求項３】
前記光軸方向において前記素子保持枠に対向しレンズ保持枠を有するぶれ補正部が配置され、
前記ぶれ補正部は前記レンズ保持枠を光軸に直交する第１の方向へ移動させる第１の補正駆動部と前記レンズ保持枠を前記光軸及び前記第１の方向にともに直交する第２の方向へ移動させる第２の補正駆動部とを有し、
前記駆動部と前記第１の補正駆動部が前記光軸を挟んで反対側に位置され、
前記位置検出部と前記第２の補正駆動部が前記光軸を挟んで反対側に位置されるようにした
請求項１に記載のレンズ鏡筒。
【請求項４】
前記第１の補正駆動部と前記第２の補正駆動部に接続されるフレキシブル基板が設けられ、
前記フレキシブル基板の一部が前記光軸方向において折り返された屈曲部として設けられ、
前記屈曲部が前記駆動側保持部と前記検出側保持部の間に位置された
請求項３に記載のレンズ鏡筒。
【請求項５】
前記駆動側保持部と前記検出側保持部を有する鏡筒ベースが設けられ、
前記鏡筒ベースの外周部が取り付けられる固定環が設けられ、
前記フレキシブルプリント配線板の一部が前記鏡筒ベースの外周部と前記固定環によって挟持された
請求項１に記載のレンズ鏡筒。
【請求項６】
前記取付部に取り付けられ前記被取付部を押さえる押さえ部材が設けられた
請求項２に記載のレンズ鏡筒。
【請求項７】
内部に光学系が配置されたレンズ鏡筒と前記光学系を介して取り込まれた光学像を電気的信号に変換する撮像素子とを備え、
前記レンズ鏡筒は、
光学素子を保持し前記光学素子の光軸方向へ移動される素子保持枠と、
通電されることにより前記素子保持枠を前記光軸方向へ移動させる駆動部と、
前記駆動部の少なくとも一部を保持する駆動側保持部と、
通電されることにより前記光学素子の前記光軸方向における位置を検出する位置検出部と、
前記位置検出部の少なくとも一部を保持する検出側保持部と、
一部が前記駆動側保持部と前記検出側保持部の間に配置された中間部として設けられ前記駆動部と前記位置検出部にそれぞれ接続されたフレキシブルプリント配線板とを備え、
前記中間部が前記素子保持枠の外周より外側に位置され前記光軸方向において折り返され、
前記中間部の折り返し位置が前記素子保持枠の移動に伴って光軸方向において変化されるようにした
撮像装置。
【発明の詳細な説明】
【技術分野】
【０００１】
本技術はレンズ鏡筒及び撮像装置についての技術分野に関する。詳しくは、フレキシブルプリント配線板の一部を駆動側保持部と検出側保持部の間に配置し光軸方向において折り返して動作の信頼性の向上及び小型化を図る技術分野に関する。
【背景技術】
【０００２】
ビデオカメラやスチルカメラ等の各種の撮像装置には、内部にレンズ等の各種の光学部品や光学素子が配置されたレンズ鏡筒が伸縮自在に設けられたものがある。
【０００３】
このようなレンズ鏡筒には、例えば、非撮影時に装置本体に収納され撮影時に装置本体から繰り出されてズーム倍率の変更等を行うことが可能な所謂沈胴タイプがある（例えば、特許文献１参照）。
【０００４】
沈胴タイプのレンズ鏡筒は、非撮影時における小型化（薄型化）と撮影時における良好な光学性能の確保との両立を図ることが可能になる。
【０００５】
また、撮像装置にはレンズ鏡筒として設けられた交換レンズが装置本体に着脱可能とされたタイプもある。
【０００６】
このような交換レンズ式の撮像装置にあっては、交換レンズを撮影状況等に応じて取り換えることにより、所望の倍率や明るさの画像を撮影することが可能になり、撮影に関する使い勝手の向上を図ることができる。
【０００７】
上記のような撮像装置にあっては、レンズ鏡筒において、レンズ等の光学素子を保持する素子保持枠が光軸方向へ移動され、例えば、フォーカシングが行われる。素子保持枠の光軸方向への移動は、例えば、マグネットとコイルを有する駆動部によって行われ、コイルにフレキシブルプリント配線板を介して通電が行われることにより駆動部に駆動力（推力）が発生する。
【０００８】
また、撮像装置においては、素子保持枠の光軸方向における位置が位置検出部によって検出され、この位置検出も位置検出部の検出素子にフレキシブルプリント配線板を介して通電されることにより行われる。
【０００９】
【特許文献１】特開２００８−２０３３３０号公報
【発明の開示】
【発明が解決しようとする課題】
【００１０】
ところが、特許文献１に記載されたレンズ鏡筒にあっては、レンズ保持枠の光軸方向における移動時にフレキシブルプリント配線板が光軸方向において撓むように構成されている。
【００１１】
従って、フレキシブルプリント配線板が撓んだときにフレキシブルプリント配線板がレンズ鏡筒の各部に接触し傷付きや損傷が発生したり、フレキシブルプリント配線板との接触により各部の動作に支障を来たすおそれがあり、このような不具合が発生すると動作の信頼性の低下を来たしてしまう。
【００１２】
また、フレキシブルプリント配線板は駆動部と位置検出部に接続されているため、フレキシブルプリント配線板と駆動部と位置検出部の位置関係によってはレンズ鏡筒が大型になり小型化に支障を来たすおそれもある。
【００１３】
そこで、本技術レンズ鏡筒及び撮像装置は、上記した問題点を克服し、動作の信頼性の向上及び小型化を図ることを課題とする。
【課題を解決するための手段】
【００１４】
第１に、レンズ鏡筒は、上記した課題を解決するために、光学素子を保持し前記光学素子の光軸方向へ移動される素子保持枠と、通電されることにより前記素子保持枠を前記光軸方向へ移動させる駆動部と、前記駆動部の少なくとも一部を保持する駆動側保持部と、通電されることにより前記光学素子の前記光軸方向における位置を検出する位置検出部と、前記位置検出部の少なくとも一部を保持する検出側保持部と、一部が前記駆動側保持部と前記検出側保持部の間に配置された中間部として設けられ前記駆動部と前記位置検出部にそれぞれ接続されたフレキシブルプリント配線板とを備え、前記中間部が前記素子保持枠の外周より外側に位置され前記光軸方向において折り返され、前記中間部の折り返し位置が前記素子保持枠の移動に伴って光軸方向において変化されるようにしたものである。
【００１５】
従って、レンズ鏡筒にあっては、駆動側保持部と検出側保持部の間に配置された中間部の折り返し位置が素子保持枠の移動に伴って素子保持枠の外周より外側で光軸方向において変化される。
【００１６】
第２に、上記したレンズ鏡筒においては、前記中間部が被取付部と前記被取付部に連続し前記光軸方向において折り返された折り返し部とを有し、前記駆動側保持部と前記検出側保持部の間に前記光軸方向に延び前記被取付部が取り付けられる取付部が設けられ、前記取付部の長手方向における一端面に前記素子保持枠が移動されたときに前記被取付部の前記取付部に対する移動を規制する移動規制部が設けられ、前記被取付部が前記一端面を跨いで屈曲された状態で前記取付部に取り付けられることが望ましい。
【００１７】
素子保持枠が移動されたときに被取付部の取付部に対する移動を規制する移動規制部が設けられ、被取付部が一端面を跨いで屈曲された状態で取付部に取り付けられることにより、折り返し部における変形可能な一定の長さが確保される。
【００１８】
第３に、上記したレンズ鏡筒においては、前記光軸方向において前記素子保持枠に対向しレンズ保持枠を有するぶれ補正部が配置され、前記ぶれ補正部は前記レンズ保持枠を光軸に直交する第１の方向へ移動させる第１の補正駆動部と前記レンズ保持枠を前記光軸及び前記第１の方向にともに直交する第２の方向へ移動させる第２の補正駆動部とを有し、前記駆動部と前記第１の補正駆動部が前記光軸を挟んで反対側に位置され、前記位置検出部と前記第２の補正駆動部が前記光軸を挟んで反対側に位置されるようにすることが望ましい。
【００１９】
駆動部と第１の補正駆動部が光軸を挟んで反対側に位置され、位置検出部と第２の補正駆動部が光軸を挟んで反対側に位置されるようにすることにより、スペースの有効活用が図られる。
【００２０】
第４に、上記したレンズ鏡筒においては、前記第１の補正駆動部と前記第２の補正駆動部に接続されるフレキシブル基板が設けられ、前記フレキシブル基板の一部が前記光軸方向において折り返された屈曲部として設けられ、前記屈曲部が前記駆動側保持部と前記検出側保持部の間に位置されることが望ましい。
【００２１】
フレキシブル基板の一部が光軸方向において折り返された屈曲部として設けられ、屈曲部が駆動側保持部と検出側保持部の間に位置されることにより、スペースの有効活用が図られる。
【００２２】
第５に、上記したレンズ鏡筒においては、前記駆動側保持部と前記検出側保持部を有する鏡筒ベースが設けられ、前記鏡筒ベースの外周部が取り付けられる固定環が設けられ、前記フレキシブルプリント配線板の一部が前記鏡筒ベースの外周部と前記固定環によって挟持されることが望ましい。
【００２３】
鏡筒ベースの外周部が取り付けられる固定環が設けられ、フレキシブルプリント配線板の一部が鏡筒ベースの外周部と固定環によって挟持されることにより、フレキシブルプリント配線板の撓みが押さえられ、フレキシブルプリント配線板の他の部分との接触が回避される。
【００２４】
第６に、上記したレンズ鏡筒においては、前記取付部に取り付けられ前記被取付部を押さえる押さえ部材が設けられることが望ましい。
【００２５】
取付部に取り付けられ被取付部を押さえる押さえ部材が設けられることにより、被取付部が押さえ部材によって押さえられて取付部に取り付けられる。
【００２６】
撮像装置は、上記した課題を解決するために、内部に光学系が配置されたレンズ鏡筒と前記光学系を介して取り込まれた光学像を電気的信号に変換する撮像素子とを備え、前記レンズ鏡筒は、光学素子を保持し前記光学素子の光軸方向へ移動される素子保持枠と、通電されることにより前記素子保持枠を前記光軸方向へ移動させる駆動部と、前記駆動部の少なくとも一部を保持する駆動側保持部と、通電されることにより前記光学素子の前記光軸方向における位置を検出する位置検出部と、前記位置検出部の少なくとも一部を保持する検出側保持部と、一部が前記駆動側保持部と前記検出側保持部の間に配置された中間部として設けられ前記駆動部と前記位置検出部にそれぞれ接続されたフレキシブルプリント配線板とを備え、前記中間部が前記素子保持枠の外周より外側に位置され前記光軸方向において折り返され、前記中間部の折り返し位置が前記素子保持枠の移動に伴って光軸方向において変化されるようにしたものである。
【００２７】
従って、撮像装置にあっては、レンズ鏡筒において、駆動部と位置検出部の間に配置された中間部の折り返し位置が素子保持枠の移動に伴って素子保持枠の外周より外側で光軸方向において変化される。
【発明の効果】
【００２８】
本技術レンズ鏡筒は、光学素子を保持し前記光学素子の光軸方向へ移動される素子保持枠と、通電されることにより前記素子保持枠を前記光軸方向へ移動させる駆動部と、前記駆動部の少なくとも一部を保持する駆動側保持部と、通電されることにより前記光学素子の前記光軸方向における位置を検出する位置検出部と、前記位置検出部の少なくとも一部を保持する検出側保持部と、一部が前記駆動側保持部と前記検出側保持部の間に配置された中間部として設けられ前記駆動部と前記位置検出部にそれぞれ接続されたフレキシブルプリント配線板とを備え、前記中間部が前記素子保持枠の外周より外側に位置され前記光軸方向において折り返され、前記中間部の折り返し位置が前記素子保持枠の移動に伴って光軸方向において変化されるようにしている。
【００２９】
従って、フレキシブルプリント配線板の中間部が変形されたときにフレキシブルプリント配線板がレンズ鏡筒の各部に接触することがなく動作の信頼性の向上を図ることができると共に中間部が駆動部と位置検出部の間に位置されているためスペースの有効活用が図られ小型化を図ることができる。
【００３０】
請求項２に記載した技術にあっては、前記中間部が被取付部と前記被取付部に連続し前記光軸方向において折り返された折り返し部とを有し、前記駆動側保持部と前記検出側保持部の間に前記光軸方向に延び前記被取付部が取り付けられる取付部が設けられ、前記取付部の長手方向における一端面に前記素子保持枠が移動されたときに前記被取付部の前記取付部に対する移動を規制する移動規制部が設けられ、前記被取付部が前記一端面を跨いで屈曲された状態で前記取付部に取り付けられている。
【００３１】
従って、折り返し部の移動が規制され、折り返し部における変形可能な一定の長さが確保され、素子保持枠の良好な移動状態を確保することができる。
【００３２】
請求項３に記載した技術にあっては、前記光軸方向において前記素子保持枠に対向しレンズ保持枠を有するぶれ補正部が配置され、前記ぶれ補正部は前記レンズ保持枠を光軸に直交する第１の方向へ移動させる第１の補正駆動部と前記レンズ保持枠を前記光軸及び前記第１の方向にともに直交する第２の方向へ移動させる第２の補正駆動部とを有し、前記駆動部と前記第１の補正駆動部が前記光軸を挟んで反対側に位置され、前記位置検出部と前記第２の補正駆動部が前記光軸を挟んで反対側に位置されるようにしている。
【００３３】
従って、スペースの有効活用が図られ、レンズ鏡筒の小径化を図ることができる。
【００３４】
請求項４に記載した技術にあっては、前記第１の補正駆動部と前記第２の補正駆動部に接続されるフレキシブル基板が設けられ、前記フレキシブル基板の一部が前記光軸方向において折り返された屈曲部として設けられ、前記屈曲部が前記駆動側保持部と前記検出側保持部の間に位置されている。
【００３５】
従って、スペースの有効活用が図られ、レンズ鏡筒の一層の小径化を図ることができる。
【００３６】
請求項５に記載した技術にあっては、前記駆動側保持部と前記検出側保持部を有する鏡筒ベースが設けられ、前記鏡筒ベースの外周部が取り付けられる固定環が設けられ、前記フレキシブルプリント配線板の一部が前記鏡筒ベースの外周部と前記固定環によって挟持されている。
【００３７】
従って、フレキシブルプリント配線板の撓みが押さえられ、フレキシブルプリント配線板の他の部分との接触が回避されてフレキシブルプリント配線板の傷付きや損傷を防止することができる。
【００３８】
請求項６に記載した技術にあっては、前記取付部に取り付けられ前記被取付部を押さえる押さえ部材が設けられている。
【００３９】
従って、被取付部を簡単な構成で取付部に取り付けることができると共に押さえ部材によって安定した状態で取付部に取り付けることができる。
【００４０】
本技術撮像装置は、内部に光学系が配置されたレンズ鏡筒と前記光学系を介して取り込まれた光学像を電気的信号に変換する撮像素子とを備え、前記レンズ鏡筒は、光学素子を保持し前記光学素子の光軸方向へ移動される素子保持枠と、通電されることにより前記素子保持枠を前記光軸方向へ移動させる駆動部と、前記駆動部の少なくとも一部を保持する駆動側保持部と、通電されることにより前記光学素子の前記光軸方向における位置を検出する位置検出部と、前記位置検出部の少なくとも一部を保持する検出側保持部と、一部が前記駆動側保持部と前記検出側保持部の間に配置された中間部として設けられ前記駆動部と前記位置検出部にそれぞれ接続されたフレキシブルプリント配線板とを備え、前記中間部が前記素子保持枠の外周より外側に位置され前記光軸方向において折り返され、前記中間部の折り返し位置が前記素子保持枠の移動に伴って光軸方向において変化されるようにしている。
【００４１】
従って、フレキシブルプリント配線板の中間部が変形されたときにフレキシブルプリント配線板がレンズ鏡筒の各部に接触することがなく動作の信頼性の向上を図ることができると共に中間部が駆動部と位置検出部の間に位置されているためスペースの有効活用が図られ小型化を図ることができる。
【発明を実施するための最良の形態】
【００４２】
以下に、本技術を実施するための最良の形態を添付図面に従って説明する。
【００４３】
以下に示した最良の形態は、本技術撮像装置をスチルカメラに適用し、本技術レンズ鏡筒をこのスチルカメラに設けられたレンズ鏡筒に適用したものである。
【００４４】
尚、本技術の適用範囲はスチルカメラ及びスチルカメラに設けられたレンズ鏡筒に限られることはなく、例えば、ビデオカメラや他の機器に組み込まれる各種の撮像装置及びこれらの撮像装置に設けられる各種のレンズ鏡筒に広く適用することができる。また、レンズ鏡筒は交換レンズであってもよい。
【００４５】
以下の説明にあっては、スチルカメラの撮影時において撮影者から見た方向で前後上下左右の方向を示すものとする。従って、被写体側が前方となり、撮影者側が後方となる。
【００４６】
尚、以下に示す前後上下左右の方向は説明の便宜上のものであり、本技術の実施に関しては、これらの方向に限定されることはない。
【００４７】
［撮像装置の構成］
先ず、撮像装置１の全体の構成について説明する（図１乃至図３参照）。
【００４８】
撮像装置１は、図１及び図２に示すように、装置本体２と装置本体２に前後方向（光軸方向）へ移動自在に支持されたレンズ鏡筒３とを備え、非撮影時等にレンズ鏡筒３が装置本体２に収納され（図１参照）、撮影時等にレンズ鏡筒３が装置本体２から前方へ突出される（図２参照）所謂沈胴タイプの撮像装置である。レンズ鏡筒３は装置本体２に収納される収納位置（図１参照）と装置本体２から前方へ突出される繰出位置（図２参照）との間で伸縮される。
【００４９】
このような沈胴タイプの撮像装置１にあっては、非撮影時における小型化（薄型化）と撮影時における良好な光学性能の確保とを両立させることができる。
【００５０】
装置本体２は、例えば、横長の扁平な筐体４の内外に所要の各部が配置されて成る（図１乃至図３参照）。
【００５１】
装置本体２の前面にはフラッシュ５が設けられている。装置本体２の上面にはシャッター釦６、ズームスイッチ７及び電源釦８が設けられている。装置本体２の後面にはディスプレイ９と各種の操作部１０、１０、・・・が設けられている。
【００５２】
［レンズ鏡筒の構成］
次に、レンズ鏡筒３の具体的な構成について説明する。
【００５３】
レンズ鏡筒３は第１の移動枠１１と第２の移動枠１２と固定環１３を有している（図１及び図２参照）。
【００５４】
第１の移動枠１１は略円筒状に形成された外周部１１ａと外周部１１ａの前端部から内方へ張り出された前面部１１ｂとを有している。
【００５５】
第２の移動枠１２は第１の移動枠１１の外周部１１ａより一回り大きい略円筒状に形成されている。第２の移動枠１２には第１の移動枠１１が前後方向（光軸方向）へ移動自在に支持されている。
【００５６】
固定環１３は第２の移動枠１２より一回り大きい略円筒状に形成されている。固定環１３には第２の移動枠１２が前後方向へ移動自在に支持されている。
【００５７】
第１の移動枠１１の内部には１群ユニット１４が保持されている。１群ユニット１４は第１の移動枠１１の移動に伴って前後方向へ移動される。１群ユニット１４には第１レンズ群１５が保持されている。
【００５８】
第２の移動枠１２の内部には２群ユニット１６が保持されている（図４参照）。２群ユニット１６は第２の移動枠１２の移動に伴って前後方向へ移動される。
【００５９】
２群ユニット１６は外形が円形状に形成された保持枠１７を有している。保持枠１７には第２レンズ群１８が保持されている。保持枠１７における前面側には開口絞り１９が配置されている。開口絞り１９は略円環状のベース板１９ａとベース板１９ａの開口を開閉する絞り羽根１９ｂ、１９ｂとを有している。絞り羽根１９ｂ、１９ｂは２群ユニット１６に設けられた図示しない駆動モーター等の羽根駆動部によって動作される。
【００６０】
第２の移動枠１２の内部には３群ユニット２０が保持されている（図４乃至図６参照）。３群ユニット２０は第２の移動枠１２の移動に伴って前後方向へ移動される。
【００６１】
３群ユニット２０はぶれ補正部として機能し、レンズ保持枠２１を有している。レンズ保持枠２１は円形状に対して一部が切り欠かれた切欠部２１ａを有している。レンズ保持枠２１には第３レンズ群２２が保持されている。
【００６２】
レンズ保持枠２１における前面側にはシャッター２３が配置されている。シャッター２３は支持ベース２３ａと支持ベース２３ａの光透過孔２３ｂを開閉する羽根部材２３ｃ、２３ｃとを有している。羽根部材２３ｃ、２３ｃは３群ユニット２０に設けられたシャッター駆動部２４によって動作される。
【００６３】
レンズ保持枠２１は、図５に示すように、支持ベース２５と支持ベース２５に左右方向へ移動自在に支持された第１の可動ベース２６と第１の可動ベース２６に上下方向へ移動自在に支持された第２の可動ベース２７とを有している。
【００６４】
支持ベース２５には、下端部に左右方向へ延びる第１のガイド軸２８が取り付けられ、左右両端部にそれぞれ上下方向へ延びる第２のガイド軸２９、２９が取り付けられている。
【００６５】
第１の可動ベース２６は第１のガイド軸２８に案内されて第２の可動ベース２７と一体になって支持ベース２５に対して左右方向へ移動される。第２の可動ベース２７は第２のガイド軸２９、２９に案内されて第１の可動ベース２６に対して上下方向へ移動される。第１の可動ベース２６と第２の可動ベース２７がそれぞれ移動されることにより第３レンズ群２２が左右方向及び上下方向へ移動されてぶれ補正が行われる。
【００６６】
３群ユニット２０には第１の可動ベース２６と第２の可動ベース２７をそれぞれ移動させる第１の補正駆動部３０と第２の補正駆動部３１が設けられている。第１の補正駆動部３０と第２の補正駆動部３１はそれぞれ図示しないマグネットとコイルを有し、各コイルに図示しない電源供給回路からフレキシブル基板３２を介して駆動電流が供給される。
【００６７】
フレキシブル基板３２には第１の可動ベース２６と第２の可動ベース２７が支持ベース２５に対して移動されるときに変形される屈曲部３２ａが設けられ、屈曲部３２ａは光軸方向に延びる状態で折り返されている（図７参照）。屈曲部３２ａは他の部分から後方へ突出するように設けられ、レンズ保持枠２１における切欠部２１ａの近傍に位置されている。
【００６８】
固定環１３には４群ユニット３３が取り付けられている。４群ユニット３３は鏡筒ベース３４に所定の各部が支持又は取り付けられて構成されている（図６及び図８参照）。鏡筒ベース３４は前後方向を向く略円板状のベース面部３５とベース面部３５からそれぞれ前方へ突出された駆動側保持部３６、検出側保持部３７及び取付部３８とを有している。
【００６９】
ベース面部３５の中央部には略矩形の配置孔３５ａが形成されている。配置孔３５ａにはＣＣＤ（Charge Coupled Device）やＣＭＯＳ（Complementary Metal-Oxide Semiconductor）等の撮像素子を有する図示しない素子ユニットが取り付けられて配置されている。
【００７０】
駆動側保持部３６はベース面部３５の上端寄りの位置に設けられ左右の幅が大きく上下の幅が小さい形状に形成されている。駆動側保持部３６にはヨーク３９が取り付けられている。ヨーク３９は駆動側保持部３６と同様に左右の幅が大きく上下の幅が小さい形状に形成され、左右方向に貫通された環状に形成されている。ヨーク３９の内面にはマグネット４０が取り付けられている。
【００７１】
検出側保持部３７はベース面部３５の左端寄りの位置に設けられ左右方向を向く厚みの薄い形状に形成されている。検出側保持部３７には前後に延びる検出板４１が取り付けられている。
【００７２】
取付部３８は前後に延びる板状に形成され、駆動側保持部３６と検出側保持部３７の間において両側部がそれぞれ駆動側保持部３６と検出側保持部３７に連続して設けられている（図８及び図９参照）。取付部３８のベース面部３５からの前方への突出量は駆動側保持部３６と検出側保持部３７のベース面部３５からの前方への突出量より小さくされている。
【００７３】
取付部３８の先端面（前面）には前方へ突出された移動規制部３８ａ、３８ａが離隔して設けられている（図１０参照）。
【００７４】
鏡筒ベース３４には上下に離隔してガイド軸４２、４２が取り付けられている（図６及び図８参照）。一方のガイド軸４２は駆動側保持部３６に取り付けられ、他方のガイド軸４２はベース面部３５の下端寄りの位置に前方へ突出するように取り付けられている。
【００７５】
鏡筒ベース３４には素子保持枠４３が前後方向へ移動自在に支持され、素子保持枠４３はガイド軸４２、４２に案内されて前後方向へ移動される。
【００７６】
素子保持枠４３は保持部４３ａと軸受部４３ｂ、４３ｂとコイル取付部４３ｃとセンサー取付部４３ｄを有している。保持部４３ａには光学素子である第４レンズ群４４が保持されている。軸受部４３ｂ、４３ｂは保持部４３ａの外周面から外方へ突出されそれぞれガイド軸４２、４２に摺動自在に支持されている。コイル取付部４３ｃは保持部４３ａの外周面から外方へ突出され、コイル取付部４３ｃには軸方向が前後方向にされ横長のコイル４５が取り付けられ、コイル４５にはヨーク３９の一部が挿通されている。センサー取付部４３ｄは保持部４３ａの外周面から外方へ突出され、センサー取付部４３ｄには検出素子４６が取り付けられ、検出素子４６は検出板４１に対向して位置されている。
【００７７】
コイル４５はヨーク３９及びマグネット４０とともに素子保持枠４３を前後方向へ移動させる駆動部４７として機能する。
【００７８】
また、検出素子４６は検出板４１とともに素子保持枠４３の前後方向における位置を検出する位置検出部４８として機能する。
【００７９】
コイル４５と検出素子４６にはフレキシブルプリント配線板４９が接続されている。フレキシブルプリント配線板４９は一端部５０が二股状に形成されてコイル４５と検出素子４６に接続され、他端部５１がベース面部３５から外方へ導出され図示しない電源供給回路に接続されている。
【００８０】
フレキシブルプリント配線板４９の中間部５２は他端部５１側から順にベース面部３５上に配置された配置部５２ａと検出側保持部３７の後端部における外面に貼り付けられた被貼付部５２ｂと取付部３８に取り付けられた被取付部５２ｃと素子保持枠４３が前後方向へ移動されるときに変形される折り返し部５２ｄとを有している。中間部５２には側方へ突出された被規制突部５２ｅが設けられている。折り返し部５２ｄは光軸方向において厚み方向に折り返され素子保持枠４３の外周より外側に位置されている。
【００８１】
中間部５２は被取付部５２ｃの厚み方向における一方の面が取付部３８に面接触された状態で押さえ部材５３に押さえられて取り付けられる。被取付部５２ｃは取付部３８の外面の略全体と先端面の略全体と内面の上端部に接した状態で取り付けられる（図９参照）。
【００８２】
このとき被規制突部５２ｅが移動規制部３８ａ、３８ａ間に挿入される（図１０参照）。
【００８３】
押さえ部材５３は上下に延びる外面部５３ａと外面部５３ａの前端部から直交する方向へ突出された連結部５３ｂと連結部５３ｂに連続され外面部５３ａに対向する弾性変形部５３ｃとから成る。弾性変形部５３ｃは外面部５３ａより長さが短くされ、外面部５３ａに離接する方向へ弾性変形可能とされている。
【００８４】
押さえ部材５３はフレキシブルプリント配線板４９の中間部５２を外側から覆う状態で取付部３８に取り付けられる。このとき押さえ部材５３は弾性変形部５３ｃが外面部５３ａから離隔される方向へ弾性変形された状態で取付部３８に取り付けられており、弾性変形部５３ｃと外面部５３ａが近付く方向への付勢力が作用されている。
【００８５】
従って、押さえ部材５３の取付部３８からの抜けが防止され、中間部５２が取付部３８に安定した状態で取り付けられる。
【００８６】
このようにフレキシブルプリント配線板４９の被取付部５２ｃは押さえ部材５３に押さえられた状態で取付部３８に取り付けられるため、被取付部５２ｃを簡単な構成で取付部３８に取り付けることができると共に押さえ部材５３によって安定した状態で取付部３８に取り付けることができる。
【００８７】
鏡筒ベース３４はベース面部３５の外周部が固定環１３の後端部にネジ止め等によって取り付けられる。ベース面部３５の外周部が固定環１３の後端部に取り付けられた状態においては、フレキシブルプリント配線板４９の一部がベース面部３５の外周部と固定環１３の後端部とによって挟持されて押さえられる。
【００８８】
従って、フレキシブルプリント配線板４９の撓みが押さえられ、フレキシブルプリント配線板４９の他の部分との接触が回避されてフレキシブルプリント配線板４９の傷付きや損傷を防止することができる。
【００８９】
［３群ユニットと４群ユニットの位置関係］
次に、３群ユニット２０と４群ユニット３３の位置関係について説明する（図４、図６及び図１１参照）。
【００９０】
上記のように構成された３群ユニット２０と４群ユニット３３が光軸方向において並んで配置された状態においては、３群ユニット２０の切欠部２１ａに４群ユニット３３の駆動側保持部３６と検出側保持部３７と取付部３８が位置される。
【００９１】
従って、第１の移動枠１２及び固定環１３の内部において、３群ユニット２０と４群ユニット３３の一部とが半径方向において重なる状態で位置され、レンズ鏡筒３の小径化を図ることができる。
【００９２】
このとき３群ユニット２０の第１の補正駆動部３０はベース面部３５における下端部の前方に位置され、４群ユニット３３の駆動部４７に対向して位置される（図１１参照）。また、３群ユニット２０の第２の補正駆動部３１はベース面部３５における右端部の前方に位置され、４群ユニット３３の位置検出部４８に対向して位置される。
【００９３】
従って、３群ユニット２０の第１の補正駆動部３０と４群ユニット３３の駆動部４７とは光軸を挟んで上下方向において反対側に位置され、３群ユニット２０の第２の補正駆動部３１と４群ユニット３３の位置検出部４８とは光軸を挟んで左右方向において反対側に位置される。
【００９４】
このように第１の補正駆動部３０と駆動部４７が光軸を挟んで反対側に位置され、第２の補正駆動部３１と位置検出部４８が光軸を挟んで反対側に位置されるように構成されることにより、スペースの有効活用が図られ、レンズ鏡筒３の小径化を図ることができる。
【００９５】
また、第１の補正駆動部３０と駆動部４７が光軸を挟んで反対側に位置され、第２の補正駆動部３１と位置検出部４８が光軸を挟んで反対側に位置されるため、第１の補正駆動部３０と駆動部４７の間に一定の距離が確保されると共に第２の補正駆動部３１と位置検出部４８の間に一定の距離が確保される。さらに、駆動部４７が光軸の上方側に配置され、第１の補正駆動部３０が光軸の右方側に配置され、第２の補正駆動部３１が光軸の下方側に配置され、位置検出部４８が光軸の左方側に配置されているため、これらの各部間に一定の距離が確保される。
【００９６】
従って、駆動部４７と第１の補正駆動部３０と第２の補正駆動部３１と位置検出部４８の間の相互の磁場干渉を回避することが可能であり、駆動部４７と第１の補正駆動部３０と第２の補正駆動部３１と位置検出部４８の動作の信頼性の向上を図ることができる。
【００９７】
加えて、３群ユニット２０の第１の補正駆動部３０と第２の補正駆動部３１に接続されたフレキシブル基板３２の屈曲部３２ａは、４群ユニット３３の駆動部４７と位置検出部４８の間に位置される。
【００９８】
従って、スペースの有効活用が図られ、レンズ鏡筒３の一層の小径化を図ることができる。
【００９９】
［４群ユニットにおける動作］
以下に、４群ユニット３３における動作について説明する（図１２及び図１３参照）。
【０１００】
４群ユニット３３において、コイル４５に通電が行われると、駆動部４７に推力が生じて素子保持枠４３がガイド軸４２、４２に案内されて前後方向（光軸方向）へ移動され、例えば、フォーカシングが行われる。素子保持枠４３が前後方向へ移動されるときにはフレキシブルプリント配線板４９における中間部５２の折り返し部５２ｄが前後に伸縮するように変形され折り返し位置が前後方向において変化される。
【０１０１】
このとき検出素子４６に通電が行われ、位置検出部４８によって素子保持枠４３の前後方向における位置が検出される。
【０１０２】
上記した素子保持枠４３の移動時には、素子保持枠４３の移動に伴って折り返し部５２ｄに対して引張力又はその反対の力が付与されるが、被規制突部５２ｅが取付部３８の移動規制部３８ａ、３８ａ間に挿入されているため、折り返し部５２ｄの長手方向における移動が規制される。
【０１０３】
従って、折り返し部５２ｄにおける変形可能な一定の長さが確保され、素子保持枠４３の良好な移動状態を確保することができる。
【０１０４】
［まとめ］
以上に記載した通り、撮像装置１及びレンズ鏡筒３にあっては、フレキシブルプリント配線板４９の中間部５２が素子保持枠４３の外周より外側に位置され折り返し部５２ｄが光軸方向において折り返されて折り返し位置が素子保持枠４３の移動に伴って光軸方向において変化される。
【０１０５】
従って、フレキシブルプリント配線板４９の中間部５２が変形されたときにフレキシブルプリント配線板４９がレンズ鏡筒３の各部に接触することがなく動作の信頼性の向上を図ることができると共に中間部５２が駆動部４７と位置検出部４８の間に位置されているためスペースの有効活用が図られ小型化を図ることができる。
【０１０６】
［撮像装置の一実施形態］
図１４に、本技術撮像装置の一実施形態によるスチルカメラ（デジタルスチルカメラ）のブロック図を示す。
【０１０７】
撮像装置（ビデオカメラ）１００（撮像装置１に相当）は、撮像機能を担うカメラブロック７０と、撮影された画像信号のアナログ−デジタル変換等の信号処理を行うカメラ信号処理部７１と、画像信号の記録再生処理を行う画像処理部７２とを有している。また、撮像装置１００は、撮影された画像等を表示する液晶パネル等の画像表示部７３（ディスプレイ９に相当）と、メモリーカード１０００へ画像信号の書込及び読出を行うＲ／Ｗ（リーダ／ライタ）７４と、撮像装置１００の全体を制御するＣＰＵ（Central Processing Unit）７５と、使用者によって所要の操作が行われる各種のスイッチ等から成る入力部７６（シャッター釦６、ズームスイッチ７、電源釦８、操作部１０等に相当）と、カメラブロック７０に配置されたレンズの駆動を制御するレンズ駆動制御部７７とを備えている。
【０１０８】
カメラブロック７０は、レンズ群７８を含む光学系や、ＣＣＤ（Charge Coupled Device）やＣＭＯＳ（Complementary Metal-Oxide Semiconductor）等の撮像素子７９等とによって構成されている。
【０１０９】
カメラ信号処理部７１は、撮像素子７９からの出力信号に対するデジタル信号への変換、ノイズ除去、画質補正、輝度・色差信号への変換等の各種の信号処理を行う。
【０１１０】
画像処理部７２は、所定の画像データーフォーマットに基づく画像信号の圧縮符号化・伸張復号化処理や解像度等のデーター仕様の変換処理等を行う。
【０１１１】
画像表示部７３は使用者の入力部７６に対する操作状態や撮影した画像等の各種のデーターを表示する機能を有している。
【０１１２】
Ｒ／Ｗ７４は、画像処理部７２によって符号化された画像データーのメモリーカード１０００への書込及びメモリーカード１０００に記録された画像データーの読出を行う。
【０１１３】
ＣＰＵ７５は、撮像装置１００に設けられた各回路ブロックを制御する制御処理部として機能し、入力部７６からの指示入力信号等に基づいて各回路ブロックを制御する。
【０１１４】
入力部７６は、例えば、シャッター操作を行うためのシャッターレリーズボタンや、動作モードを選択するための選択スイッチ等によって構成され、使用者による操作に応じた指示入力信号をＣＰＵ７５に対して出力する。
【０１１５】
レンズ駆動制御部７７は、ＣＰＵ７５からの制御信号に基づいてレンズ群７８の各レンズを駆動する図示しないモータ等を制御する。
【０１１６】
メモリーカード１０００は、例えば、Ｒ／Ｗ７４に接続されたスロットに対して着脱可能な半導体メモリーである。
【０１１７】
以下に、撮像装置１００における動作を説明する。
【０１１８】
撮影の待機状態では、ＣＰＵ７５による制御の下で、カメラブロック７０において撮影された画像信号が、カメラ信号処理部７１を介して画像表示部７３に出力され、カメラスルー画像として表示される。また、入力部７６からのズーミングのための指示入力信号が入力されると、ＣＰＵ７５がレンズ駆動制御部７７に制御信号を出力し、レンズ駆動制御部７７の制御に基づいてレンズ群７８の所定のレンズが移動される。
【０１１９】
入力部７６からの指示入力信号によりカメラブロック７０の図示しないシャッターが動作されると、撮影された画像信号がカメラ信号処理部７１から画像処理部７２に出力されて圧縮符号化処理され、所定のデーターフォーマットのデジタルデーターに変換される。変換されたデーターはＲ／Ｗ７４に出力され、メモリーカード１０００に書き込まれる。
【０１２０】
フォーカシングやズーミングは、ＣＰＵ７５からの制御信号に基づいてレンズ駆動制御部７７がレンズ群７８の所定のレンズを移動させることにより行われる。
【０１２１】
メモリーカード１０００に記録された画像データーを再生する場合には、入力部７６に対する操作に応じて、Ｒ／Ｗ７４によってメモリーカード１０００から所定の画像データーが読み出され、画像処理部７２によって伸張復号化処理が行われた後に、再生画像信号が画像表示部７３に出力されて再生画像が表示される。
【０１２２】
［本技術］
本技術は、以下のような構成にすることもできる。
【０１２３】
（１）光学素子を保持し前記光学素子の光軸方向へ移動される素子保持枠と、通電されることにより前記素子保持枠を前記光軸方向へ移動させる駆動部と、前記駆動部の少なくとも一部を保持する駆動側保持部と、通電されることにより前記光学素子の前記光軸方向における位置を検出する位置検出部と、前記位置検出部の少なくとも一部を保持する検出側保持部と、一部が前記駆動側保持部と前記検出側保持部の間に配置された中間部として設けられ前記駆動部と前記位置検出部にそれぞれ接続されたフレキシブルプリント配線板とを備え、前記中間部が前記素子保持枠の外周より外側に位置され前記光軸方向において折り返され、前記中間部の折り返し位置が前記素子保持枠の移動に伴って光軸方向において変化されるようにしたレンズ鏡筒。
【０１２４】
（２）前記中間部が被取付部と前記被取付部に連続し前記光軸方向において折り返された折り返し部とを有し、前記駆動側保持部と前記検出側保持部の間に前記光軸方向に延び前記被取付部が取り付けられる取付部が設けられ、前記取付部の長手方向における一端面に前記素子保持枠が移動されたときに前記被取付部の前記取付部に対する移動を規制する移動規制部が設けられ、前記被取付部が前記一端面を跨いで屈曲された状態で前記取付部に取り付けられた前記（１）に記載のレンズ鏡筒。
【０１２５】
（３）前記光軸方向において前記素子保持枠に対向しレンズ保持枠を有するぶれ補正部が配置され、前記ぶれ補正部は前記レンズ保持枠を光軸に直交する第１の方向へ移動させる第１の補正駆動部と前記レンズ保持枠を前記光軸及び前記第１の方向にともに直交する第２の方向へ移動させる第２の補正駆動部とを有し、前記駆動部と前記第１の補正駆動部が前記光軸を挟んで反対側に位置され、前記位置検出部と前記第２の補正駆動部が前記光軸を挟んで反対側に位置されるようにした前記（１）又は前記（２）に記載のレンズ鏡筒。
【０１２６】
（４）前記第１の補正駆動部と前記第２の補正駆動部に接続されるフレキシブル基板が設けられ、前記フレキシブル基板の一部が前記光軸方向において折り返された屈曲部として設けられ、前記屈曲部が前記駆動側保持部と前記検出側保持部の間に位置された前記（３）に記載のレンズ鏡筒。
【０１２７】
（５）前記駆動側保持部と前記検出側保持部を有する鏡筒ベースが設けられ、前記鏡筒ベースの外周部が取り付けられる固定環が設けられ、前記フレキシブルプリント配線板の一部が前記鏡筒ベースの外周部と前記固定環によって挟持された前記（１）から前記（４）の何れかに記載のレンズ鏡筒。
【０１２８】
（６）前記取付部に取り付けられ前記被取付部を押さえる押さえ部材が設けられた前記（２）から前記（５）の何れかに記載のレンズ鏡筒。
【０１２９】
（７）内部に光学系が配置されたレンズ鏡筒と前記光学系を介して取り込まれた光学像を電気的信号に変換する撮像素子とを備え、前記レンズ鏡筒は、光学素子を保持し前記光学素子の光軸方向へ移動される素子保持枠と、通電されることにより前記素子保持枠を前記光軸方向へ移動させる駆動部と、前記駆動部の少なくとも一部を保持する駆動側保持部と、通電されることにより前記光学素子の前記光軸方向における位置を検出する位置検出部と、前記位置検出部の少なくとも一部を保持する検出側保持部と、一部が前記駆動側保持部と前記検出側保持部の間に配置された中間部として設けられ前記駆動部と前記位置検出部にそれぞれ接続されたフレキシブルプリント配線板とを備え、前記中間部が前記素子保持枠の外周より外側に位置され前記光軸方向において折り返され、前記中間部の折り返し位置が前記素子保持枠の移動に伴って光軸方向において変化されるようにした撮像装置。
【０１３０】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１３１】
【図１】図２乃至図１４と共に本技術の最良の形態を示すものであり、本図は、レンズ鏡筒が装置本体に収納されている状態で示す撮像装置の斜視図である。
【図２】レンズ鏡筒が装置本体から突出されている状態で示す撮像装置の斜視図である。
【図３】撮像装置を図１及び図２とは反対側から見た状態で示す斜視図である。
【図４】２群ユニットと３群ユニットと４群ユニットを一部を分解して示す斜視図である。
【図５】３群ユニットの斜視図である。
【図６】３群ユニットと４群ユニットの分解斜視図である。
【図７】図６のＶＩＩ−ＶＩＩ線に沿う拡大断面図である。
【図８】４群ユニットの斜視図である。
【図９】フレキシブルプリント配線板の中間部が押さえ部材によって押さえられて取付部に取り付けられている状態を示す拡大側面図である。
【図１０】フレキシブルプリント配線板の被規制突部が取付部の位置規制部間に挿入されている状態を示す拡大斜視図である。
【図１１】第３レンズ群と第４レンズ群の位置関係を示す概略正面図である。
【図１２】素子保持枠が後方の移動端に位置されている状態を示す拡大断面図である。
【図１３】素子保持枠が前方の移動端に位置されている状態を示す拡大断面図である。
【図１４】撮像装置のブロック図である。
【符号の説明】
【０１３２】
１…撮像装置、３…レンズ鏡筒、２０…３群ユニット（ぶれ補正部）、３０…第１の補正駆動部、３１…第２の補正駆動部、３２…フレキシブル基板、３２ａ…屈曲部、３４…鏡筒ベース、３６…駆動側保持部、３７…検出側保持部、３８…取付部、３８ａ…移動規制部、４３…素子保持枠、４７…駆動部、４８…位置検出部、４９…フレキシブルプリント配線板、５２…中間部、５２ｃ…被取付部、５２ｄ…折り返し部、５３…押さえ部材、１００…撮像装置、７９…撮像素子
【図１】
2013250487.tif 000003
【図２】
2013250487.tif 000004
【図３】
2013250487.tif 000005
【図４】
2013250487.tif 000006
【図５】
2013250487.tif 000007
【図６】
2013250487.tif 000008
【図７】
2013250487.tif 000009
【図８】
2013250487.tif 000010
【図９】
2013250487.tif 000011
【図１０】
2013250487.tif 000012
【図１１】
2013250487.tif 000013
【図１２】
2013250487.tif 000014
【図１３】
2013250487.tif 000015
【図１４】
2013250487.tif 000016